(57)【要約】 【課題】  本発明は、画像読取装置の読取方式の設定操作に不慣れなユーザであっても、自分の所望する読取方式を容易に設定することができる画像読取装置を提供することを目的とする。【解決手段】本発明の画像読取装置は、原稿を読み取って得た画像データを保存することができる保存先と、各保存先に応じた読取方式を記憶している。画像読取装置は、画像データの保存先がユーザに指定されると、指定された保存先に応じた読取方式を認識して、この認識した読取方式で原稿の読み取りを行う。よって、ユーザは、読取方式を画像読取装置に設定しなくても保存先を指定するだけで、保存先に応じた読取方式の読み取りを画像読取装置に行わせることができる。【選択図】  図１  
2005244663.tif 000002
【特許請求の範囲】
【請求項１】
指定された読取方式で読み取って得た原稿の画像データを保存する画像読取装置において、
上記画像データの保存先と、上記読取方式とを対応付けて記憶する読取方式記憶手段と、
上記保存先を指定する指定手段と、
指定された保存先と対応付けて記憶された上記読取方式で原稿を読み取って画像データを得る原稿読取手段と、
得られた画像データを指定された保存先に保存する保存手段とを備えたことを特徴とする画像読取装置。
【請求項２】
上記保存先と対応付けて記憶された読取方式を変更する変更手段を備えた請求項１に記載の画像読取装置。  
【請求項３】
上記変更手段は、上記保存先と対応付けて記憶された読取方式を、最近行われた原稿の読み取りで採用された読取方式に変更する請求項２に記載の画像読取装置。
【請求項４】
上記変更手段は、上記保存先と対応付けて記憶された読取方式を、採用された頻度が最も高い読取方式に変更する請求項２に記載の画像読取装置。
【発明の詳細な説明】
【技術分野】
【０００１】
本発明は、原稿を読み取って得た画像データをネットワークを介して端末に送信したり、記憶したりするネットワークスキャナなどの画像読取装置に関し、より詳細には、原稿の読取方式の設定操作を簡単に効率よく行うための手段を備えた画像読取装置に関する。
【背景技術】
【０００２】
近年、原稿を読み取って得た画像データをネットワークを介して端末に送信することができる画像読取装置がオフィスなどにて導入されている。ユーザは自分の原稿の画像データを自分の端末に保存したい場合、原稿を読み取らせる際に、自分の端末を保存先として画像読取装置に指定する。
【０００３】
また、画像データを自分の端末でなく、画像読取装置に備えられたハードディスク等の画像データ記憶手段や、画像データ記憶手段に作成された自分のフォルダに保存したい場合、ユーザは、自分の端末に代えて画像データ記憶手段や自分のフォルダを保存先として画像読取装置に指定する。
【０００４】
画像読取装置は、原稿を読み取って画像データを得ると、この画像データを保存先として入力された端末に送信したり、保存先として入力された画像データ記憶手段やフォルダに格納したりする。
【０００５】
画像読取装置の分野は技術の進歩が目覚しく、現在の画像読取装置は様々な機能を備えており、ユーザの希望に沿った読取方式で読み取りを行うことができるようになっている。例えば、画像読取装置は、原稿をモノクロ画像又はカラー画像、文字画像又は写真画像として読み取ったり、読み取って得た画像データのファイル形式、圧縮率、解像度、拡大縮小倍率をユーザが希望するものにしたり、原稿の両面読取又は片面読取をしたりすることができる。
【０００６】
このような読取方式の設定は、画像データの保存先の入力と共に原稿を読み取らせる際に行う。
【０００７】
画像読取装置が備える機能が増え、画像読取装置が実行することができる読取方式が増えると、読取方式の設定操作が複雑になる。そのため、画像読取装置の操作に不慣れなユーザにとって、読取方式の設定操作は煩わしい作業となる。特開２０００−３０７７８２号と特開２００３−１８３３５号には、読取方式の設定操作を容易にした技術が記載されている。  
【０００８】
特開２０００−３０７７８２号には、ユーザは自分が使用すると考えられる読取方式を予め画像読取装置に登録しておき、原稿を読み取らせる際に、登録した読取方式から所望の読取方式を選択することで、所望の読取方式が設定できる技術が開示されている。また、特開２００３−１８３３５号には、一度設定した読取方式が履歴として記憶され、ユーザは、原稿を読み取らせる時に履歴から所望の読取方式を選択することで、所望の読取方式が設定できる技術が開示されている。    
【特許文献１】特開２０００−３０７７８２号公報
【特許文献２】特開２００３−１８３３５号公報
【発明の開示】
【発明が解決しようとする課題】
【０００９】
しかし、特開２０００−３０７７８２号及び特開２００３−１８３３５号の技術を用いた場合、原稿を読み取らせる際に、ユーザは、登録されたり履歴として記憶された読取方式から所望の読取方式を選択する必要がある。ネットワークスキャナ等は多数のユーザにて共有されるために、多数の読取方式が画像読取装置に登録されたり、履歴として記憶される可能性があり、画像読取装置の操作に不慣れなユーザにとって、多数の読取方式から所望の読取方式を探し出して選択することが困難である。
【００１０】
そこで、本発明は、読取方式の設定操作が容易な画像読取装置を提供することを目的とする。
【課題を解決するための手段】
【００１１】
本発明の画像読取装置は、読取方式の設定操作をしなくても保存先を指定するだけで、保存先に応じた読取方式での読み取りを行うことができるように、保存先と、各保存先と対応する読取方式を対応付けて記憶する読取方式記憶手段を備える。
【００１２】
ユーザ等によって画像データの保存先が指定されると、画像読取装置は、その保存先と対応した読取方式で原稿を読み取り、この原稿の読み取りによって得た画像データを指定された保存先に保存する。
【発明の効果】
【００１３】
本発明の画像読取装置では、保存先の指定の操作をするだけで、保存先に応じた読取方式の読取が行われる。そのため、読取方式の選択の操作をする必要がないので、読取方式の設定が複雑であったり、読取方式の設定操作に慣れていない場合であっても、ユーザは読取方式を容易に設定することができる。
【００１４】
また、画像データの保存先が同じ原稿に対しては、同じ読取方式での読み取りが行われる場合が多い。例えば、あるユーザが原稿の読み取りを行う場合、保存する場所や、実行する読み取りの読取方式は大体同じである。よって、このような場合、ユーザは、画像読取装置に原稿を読み取らせる際に自分がいつも指定する保存先を指定するだけで、いつもと同じ読取方式での読み取りを画像読取装置に行わせることができる。
【発明を実施するための最良の形態】
【００１５】
（実施の形態１）  
本実施の形態では、画像読取装置１００は、図１に示すように、同一オフィス内に設置された複数の端末１３１〜１３３とＬＡＮ１２１によって接続されている。画像読取装置１００は、複数の読取方式で原稿を読み取ることができる原稿読取手段１０２と、画像読取手段１０２が原稿を読み取って得た画像データをユーザに指定された保存先に保存する保存手段１０１を備えている。    
【００１６】
ユーザの行う保存先の指定は、操作パネル１０３を用いて行われる。操作パネルの初期画面は、図２（ａ）に示すように、登録キー２０１、保存先指定キー２０２、読取方式指定キー２０３が表示される。
【００１７】
読取方式の設定を簡単な操作で行う場合、ユーザは、保存先指定キー２０２を押下し、読取方式の設定を手動で行う場合は、読取方式指定キー２０３を押下する。
【００１８】
保存先指定キー２０２が押下された場合、画像読取装置１００に備えられた指定手段１０４は、画像読取装置１００に備えられた読取方式記憶手段１０５が記憶する読取方式テーブルを参照して、保存先と指定することができる保存先候補を認識する。上記読取方式テーブル３００は、図３に示すように、保存先として指定することができる保存先候補３０１と、各保存先候補３０１に対応づけられた対応読取方式３０２とが登録されている。
【００１９】
上記読取方式テーブル３００への保存先候補３０１及び対応読取方式３０２の登録は、例えば、画像読取装置１００の操作パネル１０３を用いてユーザが行う。読取方式テーブル３００への登録を行う場合、ユーザは、操作パネル１０３の初期画面に表示された登録キー２０１を押下する。登録キー２０１が押下されると、画像読取装置１００に備えられた変更手段１０６は、画像読取装置１００と通信可能に接続された端末を検索する。上記変更手段１０６は、検索した端末と画像読取装置１００が備える画像データ記憶手段１０７を表示する保存先候補表示領域４００と、カーソルキー４０１、４０２と、決定キー４０３、取消キー４０４を図４に示すように操作パネル１０３に表示する。
【００２０】
ユーザは、図４に示す画面が操作パネル１０３に表示されると、端末又は画像データ記憶手段１０７から保存先候補３０１に登録するものをカーソルキー４０１、４０２で選択して、決定キー４０３を押下する。上記変更手段１０６は、決定キー４０３が押下されると、上記原稿読取手段１０２が実行することができる読取方式を選択させるための画面を図５に示すように操作パネル１０３に表示する。
【００２１】
図５に示すように、この画面では、原稿をカラー又はモノクロの何れとして読み取るかの選択、画像データのファイル形式をJPEG（Joint  Photographic  Expect  Group）又はTIFFの何れの形式に沿って形成するかの選択、拡大縮小倍率を入力ができるようになっている。カラー又はモノクロ、JPEG又はTIFFの選択は、例えば選択したい項目が表示されている部分を押下することで、上記変更手段１０６に認識させることができる。また、拡大縮小倍率の入力は、図５に示すテンキー５１１を用いて入力することで、上記変更手段１０６に拡大縮小倍率を認識させることができる。
【００２２】
ユーザは、カラー又はモノクロ及びJPEG又はTIFFの選択をし、拡大縮小倍率を入力すると、図５に示す決定キー５１２を押下する。決定キー５１２が押下されると、上記変更手段１０６は、ユーザにて選択された端末又は画像データ記憶手段１０７を上記読取方式テーブル３００の保存先３０１に登録し、この登録した端末又は画像データ記憶手段１０７に選択された読取方式を対応付けて対応読取方式３０２に登録する。      
【００２３】
本実施の形態では、図３に示すように、保存先３０１には、ＬＡＮ１２１で接続された端末１３１〜１３３と画像データ記憶手段１０７が登録されており、各保存先３０１と対応付けられた読取方式３１２には、図３に示すような読取方式が対応付けられているものとする。
【００２４】
上記指定手段１０４は、上記読取方式テーブル３００を参照して、保存先候補を認識すると、保存先候補３０１に登録されている端末１３１〜１３３と画像データ記憶手段１０７を表示する保存先候補表示領域２１１と、保存先候補表示領域２１１に表示された保存先候補から１つを選択するカーソルキー２１２、２１３と、決定キー２１４と、取消キー２１５が表示される画面を操作パネル１０３に表示する。
【００２５】
図２（ｂ）に示す画面が表示されると、ユーザは、保存先候補表示領域２１１に表示された中から１つを保存先としてカーソルキー２１２、２１３を用いて選択し、その後決定キー２１４を押下する。上記決定キー２１４が押下されると、上記指定手段１０４は、上記読取方式テーブル３００を参照して、ユーザが選択した保存先候補と対応付けられた対応読取方式３１２を特定する。  
【００２６】
なお、図２（ｂ）に示す取消キー２１５をユーザが押下した場合は、上記指定手段１０４は上記操作パネル１０３を図２（ａ）に示す初期画面に戻す。
【００２７】
上記指定手段１０４は、読取方式３１２を特定すると、図２（ｃ）に示すように特定した対応読取方式とスタートキー２２１と再指定キー２２２を操作パネル１０３に表示する。
【００２８】
ユーザは、特定された読取方式３１２を確認し、表示された読取方式３１２が希望する読取方式３１２である場合、スタートキー２２１を押下し、希望する読取方式でない場合、再指定キー２２２を押下する。再指定キー２２２が押下された場合、上記指定手段１０４は、上記操作パネル１０３を図２（ｂ）に示す画面に戻す。
【００２９】
スタートキー２２１が押下された場合、上記指定手段１０４は、図２（ｂ）に示す画面においてユーザが選択した保存先候補を今回の読み取りによって得られる画像データの保存先として指定し、指定された保存先候補と対応付けて上記読取方式テーブル３００に登録された対応読取方式３０２を今回の原稿の読み取りに採用する読取方式として決定する。
【００３０】
上記指定手段１０４が読取方式を決定すると、上記原稿読取手段１０２は、決定された読取方式で原稿の読み取りを行う。上記原稿読取手段１０２は原稿を読み取って得た画像データを保存手段１０１に入力する。
【００３１】
上記保存手段１０１は、画像データが入力されると、上記指定手段１０４が指定した保存先に画像データを転送して保存させる。
【００３２】
以上のように、指定された保存先に対応付けられた読取方式で原稿の読み取りが行われるので、読取方式テーブル３００に、保存先候補３０１と、各保存先候補に応じた対応読取方式３０２を対応付けて登録しておけば、ユーザは、保存先を指定するだけで、その保存先に応じた読取方式の原稿の読み取りを画像読取装置１００に行わせることができる。      
【００３３】
また、画像データの保存先が同じであっても、例外的に異なる読取方式で原稿を画像読取装置１００に読み取らせたい場合もある。保存先が同じでも、異なる読取方式の読み取りを行うことができるように、図２（ａ）に示す読取方式指定キー２０３を押下したときは、画像読取装置１００は、ユーザが選択した読取方式を採用する。
【００３４】
読取方式指定キー２０３が押下された場合、保存先指定キー２０２が押下された場合と同じように、上記指定手段１０４は、上記読取方式テーブル３００を参照して保存先候補３０１を認識して、図２（ｂ）に示す画面を表示する。この画面が表示されると、ユーザは、表示された保存先候補から保存先を選択して、決定キー２１４を押下する。
【００３５】
上記指定手段１０５は決定キーが押下されると、上記変更手段１０６が表示する図５に示す画面と同じ画面を操作パネル１０３に表示する。図５に示す表示画面が表示されると、ユーザは、上記のようにしてカラー又はモノクロ、JPEG又はTIFFの選択や、拡大縮小倍率の入力をして読取方式を選択し、決定キー５１２を押下する。決定キー５１２が押下されると、上記指定手段は、保存先と読取方式が選択されると、選択された保存先を今回の読み取りによって得られる画像データの保存先として指定し、選択された読取方式を今回の原稿の読み取りに採用する読取方式として指定する。  
【００３６】
このようにユーザが手動で保存先と読取方式を指定した場合も、上記原稿読取手段１０２は、上記指定手段１０４が指定した読取方式で原稿を読み取り、上記保存手段１０１は、上記指定手段１０４が指定した保存先に原稿を保存する。
【００３７】
ユーザが手動で保存先と読取方式を選択した場合、上記指定手段１０４は、保存先として選択された保存先候補３０１の対応読取方式３１２をユーザが選択した読取方式に変更しても良い。  
（実施の形態２）
実施の形態１では、保存先を指定すると、指定した保存先と対応付けて登録された対応読取方式３１２の読み取りが行われる場合について説明した。しかし、画像読取装置の使用環境の変化によって、保存先が同じであっても要求される読取方式が変化する場合もある。本実施の形態では、要求される読取方式の変化に追従して対応読取方式３０２が変化する場合について説明する。
【００３８】
上記読取テーブル３００は、各保存先候補３０１において、各保存先候補３０１を保存先として指定された過去Ｎ回の原稿の読み取りのときに、上記指定手段１０４に指定された読取方式３０３が登録できるようになっている（図３（ｂ））。上記指定手段１０４は、実施の形態１のように保存先と読取方式を指定する度に、保存先として指定した保存先候補３０１に対応付けて指定した読取方式３０３を上記読取テーブル３００に登録する。
【００３９】
上記指定手段１０４は、指定した読取方式３０３を上記読取方式テーブル３００に登録する度に、読取方式を登録した保存先候補３０１を上記変更手段１０６に通知する。
【００４０】
上記変更手段１０６は、保存先候補３０１が通知されると、通知された保存先候補３０１の過去Ｎ回の読み取りにおいて採用された回数の最も多い読取方式を特定して、特定した読取方式に対応読取方式３０２を変更する。
【００４１】
このように、過去Ｎ回の原稿の読み取りにおいて最も採用された回数が多い読取方式を対応読取方式３１２とすることで、例えばある時点モノクロ、拡大縮小率１００％、JPEGの読取方式を採用していたが、使用環境が変わって、以後カラー、拡大縮小率１００％、JPEGの読取方式を採用することになった場合、ユーザは、使用環境変化後、何回かの読み取りでカラー、拡大縮小率１００％、JPEGの読取方式を手動で設定すればそれ以後対応読取方式が、カラー、拡大縮小率１００％、JPEGの読取方式に代る。よって、使用環境が変わっても、それ以後、ユーザは、読取方式を手動で指定しなくても保存先を指定すれば、カラー、拡大縮小率１００％、JPEGの読取方式で原稿の読み取りを行わせることができる。
【００４２】
なお、実施の形態１及び２においては、読取方式として原稿をモノクロ画像又はカラー画像、JPEG又はTIFF、拡大縮小倍率について説明したが、読取方式は、これらに限られるものではない。例えば読取方式は、原稿を文字画像又は写真画像として読み取ったり、読み取って得た画像データの圧縮率、解像度をユーザが希望するものにしたり、原稿の両面読取又は片面読取をしたりするものであってもよい。
【図面の簡単な説明】
【００４３】
【図１】画像読取装置の機能ブロック図。
【図２】保存先及び読取方式が決定されるまでの操作パネルの模式図。
【図３】読取方式テーブルの模式図。
【図４】保存先を決定する際の操作パネルの模式図。
【図５】読取方式を決定する際の操作パネルの模式図。
【符号の説明】
【００４４】
１００  画像処理装置
１０１  保存手段
１０２  原稿読取手段
１０３  操作パネル
１０４  指定手段
１０５  読取方式記憶手段
１０６  変更手段
１０７  画像データ記憶手段
３００  読取方式テーブル  
【図１】
2005244663.tif 000003
【図２】
2005244663.tif 000004
【図３】
2005244663.tif 000005
【図４】
2005244663.tif 000006
【図５】
2005244663.tif 000007